(57)【要約】  本発明はランダムアクセス方法を開示し、前記ランダムアクセス方法は、端末装置が第１物理ランダムアクセスチャネル（ＰＲＡＣＨ）リソースセットと第２ＰＲＡＣＨリソースセットを決定し、第１ＰＲＡＣＨリソースセットは第１類のランダムアクセス過程でのＰＲＡＣＨ送信に用いられ、第２ＰＲＡＣＨリソースセットは第２類のランダムアクセス過程でのＰＲＡＣＨ送信に用いられ、第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なることと、端末装置が前記第１ＰＲＡＣＨリソースセット又は前記第２ＰＲＡＣＨリソースセットからターゲットＰＲＡＣＨリソースを決定し、前記ターゲットＰＲＡＣＨリソースはランダムアクセス過程でのＰＲＡＣＨ送信に用いられることと、を含む。本発明は他のランダムアクセス方法、端末装置、ネットワーク装置及び記憶媒体を更に開示する。
2021533605.tif 000002
【特許請求の範囲】
【請求項１】
ランダムアクセス方法であって、
端末装置が第１物理ランダムアクセスチャネル（ＰＲＡＣＨ）リソースセットと第２ＰＲＡＣＨリソースセットを決定し、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられ、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なることと、
前記端末装置が前記第１ＰＲＡＣＨリソースセット又は前記第２ＰＲＡＣＨリソースセットからターゲットＰＲＡＣＨリソースを決定し、前記ターゲットＰＲＡＣＨリソースはランダムアクセス過程でのＰＲＡＣＨ送信に用いられることと、を含むランダムアクセス方法。
【請求項２】
前記第１類のランダムアクセス過程でのＰＲＡＣＨにより伝送される情報はプリアンブルを含み、前記第２類のランダムアクセス過程でのＰＲＡＣＨにより伝送される情報はプリアンブル及びアップリンク情報を含む請求項１に記載の方法。
【請求項３】
前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なることは、
前記第１ＰＲＡＣＨリソースの時間領域開始位置と前記第２ＰＲＡＣＨリソースの時間領域開始位置とは、少なくとも１つが異なること、
前記第１ＰＲＡＣＨリソースの周波数領域開始位置と前記第２ＰＲＡＣＨリソースの周波数領域開始位置とは、少なくとも１つが異なること、
前記第１ＰＲＡＣＨリソースセットに含まれるプリアンブルと前記第２ＰＲＡＣＨリソースセットに含まれるプリアンブルとは、少なくとも１つが異なること、のうちの少なくとも１つを含む請求項１又は２に記載の方法。
【請求項４】
端末装置が第１ＰＲＡＣＨリソースセットと第２ＰＲＡＣＨリソースセットを決定することは、
前記端末装置は第１ＰＲＡＣＨ設定パラメータに基づいて前記第１ＰＲＡＣＨリソースセットを決定し、第２ＰＲＡＣＨ設定パラメータに基づいて前記第２ＰＲＡＣＨリソースセットを決定することを含む請求項１〜３のいずれか１項に記載の方法。
【請求項５】
前記第１ＰＲＡＣＨリソースの繰り返し周期長さと前記第２ＰＲＡＣＨリソースの繰り返し周期長さは同じであり、
１つの周期内において、前記第１ＰＲＡＣＨリソースの個数は前記第２ＰＲＡＣＨリソースの個数未満である請求項１〜４のいずれか１項に記載の方法。
【請求項６】
前記第１ＰＲＡＣＨリソースは第１繰り返し周期長さに対応し、前記第２ＰＲＡＣＨリソースは第２繰り返し周期長さに対応し、前記第２繰り返し周期長さは前記第１繰り返し周期長さ未満である請求項１〜４のいずれか１項に記載の方法。
【請求項７】
いずれかの前記第１ＰＲＡＣＨリソースの周波数領域開始位置といずれかの前記第２ＰＲＡＣＨリソースの周波数領域開始位置は異なる請求項１〜６のいずれか１項に記載の方法。
【請求項８】
いずれかの前記第１ＰＲＡＣＨリソースセットに含まれるプリアンブルといずれかの前記第２ＰＲＡＣＨリソースセットに含まれるプリアンブルは異なる請求項１〜７のいずれか１項に記載の方法。
【請求項９】
前記第２ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第２関連関係を有する請求項１〜８のいずれか１項に記載の方法。
【請求項１０】
前記第１ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第１関連関係を有する請求項１〜９のいずれか１項に記載の方法。
【請求項１１】
前記第１ＰＲＡＣＨリソースセットには第１プリアンブルセット、第２プリアンブルセット、第１時間領域開始位置セット及び第２時間領域開始位置セットが含まれ、前記第２ＰＲＡＣＨリソースセットには第３プリアンブルセット、第４プリアンブルセット、前記第１時間領域開始位置セット及び前記第２時間領域開始位置セットが含まれ、
前記第１ＰＲＡＣＨリソースセットは、前記第１時間領域開始位置セットと前記第１プリアンブルセットによって共同で決定されたＰＲＡＣＨリソース、及び前記第２時間領域開始位置セットと前記第２プリアンブルセットによって共同で決定されたＰＲＡＣＨリソースを含み、及び／又は、
前記第２ＰＲＡＣＨリソースセットは、前記第１時間領域開始位置セットと前記第３プリアンブルセットによって共同で決定されたＰＲＡＣＨリソース、及び前記第２時間領域開始位置セットと前記第４プリアンブルセットによって共同で決定されたＰＲＡＣＨリソースを含み、
前記第１プリアンブルセットに含まれるプリアンブルの個数と前記第２プリアンブルセットに含まれるプリアンブルの個数は異なり、前記第３プリアンブルセットに含まれるプリアンブルの個数と前記第４プリアンブルセットに含まれるプリアンブルの個数は異なる請求項１〜１０のいずれか１項に記載の方法。
【請求項１２】
前記第１プリアンブルセットに含まれるプリアンブルの個数と前記第３プリアンブルセットに含まれるプリアンブルの個数との和は、前記第２プリアンブルセットに含まれるプリアンブルの個数と前記第４プリアンブルセットに含まれるプリアンブルの個数との和に等しい請求項１１に記載の方法。
【請求項１３】
前記端末装置が前記第１ＰＲＡＣＨリソースセット又は前記第２ＰＲＡＣＨリソースセットからターゲットＰＲＡＣＨリソースを決定することは、
前記端末装置はランダムアクセス過程をトリガーするイベントの優先度に基づいて、前記第１ＰＲＡＣＨリソースセット又は前記第２ＰＲＡＣＨリソースセットから前記ターゲットＰＲＡＣＨリソースを決定することを含む請求項１〜１２のいずれか１項に記載の方法。
【請求項１４】
前記端末装置が前記第１ＰＲＡＣＨリソースセット又は前記第２ＰＲＡＣＨリソースセットからターゲットＰＲＡＣＨリソースを決定することは、
ランダムアクセス過程をトリガーするイベントの優先度が低い場合、前記端末装置が前記第１ＰＲＡＣＨリソースセットから前記ターゲットＰＲＡＣＨリソースを決定することと、
ランダムアクセス過程をトリガーするイベントの優先度が高い場合、前記端末装置が前記第２ＰＲＡＣＨリソースセットから前記ターゲットＰＲＡＣＨリソースを決定することと、を含む請求項１３に記載の方法。
【請求項１５】
ランダムアクセス方法であって、
ネットワーク装置は第１物理ランダムアクセスチャネル（ＰＲＡＣＨ）リソースセットと第２ＰＲＡＣＨリソースセットを決定し、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられ、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なることと、
前記ネットワーク装置は受信したターゲットＰＲＡＣＨリソースが属するＰＲＡＣＨリソースセットに基づいて、第１類のランダムアクセス過程を実行すること又は第２類のランダムアクセス過程を実行することを決定することと、を含むランダムアクセス方法。
【請求項１６】
前記ネットワーク装置が第１物理ランダムアクセスチャネル（ＰＲＡＣＨ）リソースセットと第２ＰＲＡＣＨリソースセットを決定することは、
前記ネットワーク装置がランダムアクセスパラメータに基づいて第１物理ランダムアクセスチャネル（ＰＲＡＣＨ）リソースセットと第２ＰＲＡＣＨリソースセットを決定することを含み、
前記ランダムアクセスパラメータは、ＰＲＡＣＨ設定インデックス、ＰＲＡＣＨ周波数領域機会の個数及びシーケンス生成パラメータのうちの少なくとも１つを含む請求項１５に記載の方法。
【請求項１７】
前記第１ＰＲＡＣＨリソースと前記第２ＰＲＡＣＨリソースとは、少なくとも１つが異なることは、
前記第１ＰＲＡＣＨリソースの時間領域開始位置と前記第２ＰＲＡＣＨリソースの時間領域開始位置とは、少なくとも１つが異なること、
前記第１ＰＲＡＣＨリソースの周波数領域開始位置と前記第２ＰＲＡＣＨリソースの周波数領域開始位置とは、少なくとも１つが異なること、
前記第１ＰＲＡＣＨリソースセットに含まれるプリアンブルと前記第２ＰＲＡＣＨリソースセットに含まれるプリアンブルとは、少なくとも１つが異なること、のうちの少なくとも１つを含む請求項１５又は１６に記載の方法。
【請求項１８】
前記ネットワーク装置が第１ＰＲＡＣＨリソースセットと第２ＰＲＡＣＨリソースセットを決定することは、
前記ネットワーク装置がそれぞれ第１ランダムアクセスパラメータと第２ランダムアクセスパラメータを設定することと、
前記第１ランダムアクセスパラメータに基づいて前記第１ＰＲＡＣＨリソースセットを決定し、前記第２ランダムアクセスパラメータに基づいて前記第２ＰＲＡＣＨリソースセットを決定することと、を含み、
前記第１ＰＲＡＣＨリソースセットは第１時間領域リソース、第１周波数領域リソース及び第１シーケンスリソースを含み、
前記第２ＰＲＡＣＨリソースセットは第２時間領域リソース、第２周波数領域リソース及び第２シーケンスリソースを含む請求項１５〜１７のいずれか１項に記載の方法。
【請求項１９】
前記ネットワーク装置は、
前記ネットワーク装置は第１ＰＲＡＣＨリソースセットに対応する第１ＰＲＡＣＨ設定インデックスと第２ＰＲＡＣＨリソースセットに対応する第２ＰＲＡＣＨ設定インデックスを設定することと、
前記第２ＰＲＡＣＨリソースに対応する第２繰り返し周期長さは、前記第１ＰＲＡＣＨリソースに対応する第１繰り返し周期長さ未満であることと、を含む請求項１８に記載の方法。
【請求項２０】
前記ネットワーク装置がそれぞれ第１ランダムアクセスパラメータと第２ランダムアクセスパラメータを設定することは、
前記ネットワーク装置は第１ＰＲＡＣＨリソースセットに対応する第１ＰＲＡＣＨ設定インデックスと第２ＰＲＡＣＨリソースセットに対応する第２ＰＲＡＣＨ設定インデックスを設定することを含み、
前記第２ＰＲＡＣＨリソースに対応する繰り返し周期長さは、前記第１ＰＲＡＣＨリソースに対応する繰り返し周期長さと同じであり、
１つの周期内において、前記第１ＰＲＡＣＨリソースの個数は前記第２ＰＲＡＣＨリソースの個数未満である請求項１８に記載の方法。
【請求項２１】
前記ネットワーク装置がそれぞれ第１ランダムアクセスパラメータと第２ランダムアクセスパラメータを設定することは、
前記ネットワーク装置は第１ＰＲＡＣＨリソースセットに対応する第１ＰＲＡＣＨ周波数領域機会の個数と第２ＰＲＡＣＨリソースセットに対応する第２ＰＲＡＣＨ周波数領域機会の個数を設定することで、前記第１ＰＲＡＣＨリソースの周波数領域開始位置を前記第２ＰＲＡＣＨリソースの周波数領域開始位置と異ならせることを含む請求項１８〜２０のいずれか１項に記載の方法。
【請求項２２】
前記ネットワーク装置がそれぞれ第１ランダムアクセスパラメータと第２ランダムアクセスパラメータを設定することは、
前記ネットワーク装置はセルが使用可能なシーケンスリソースを第１プリアンブルセット及び第２プリアンブルセットとして設定することと、
いずれかの前記第１ＰＲＡＣＨリソースセットに含まれるプリアンブルといずれかの前記第２ＰＲＡＣＨリソースセットに含まれるプリアンブルは異なることと、を含む請求項１８〜２１のいずれか１項に記載の方法。
【請求項２３】
前記第２ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第２関連関係を有する請求項１５〜２２のいずれか１項に記載の方法。
【請求項２４】
前記第１ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第１関連関係を有する請求項１５〜２３のいずれか１項に記載の方法。
【請求項２５】
前記第１ＰＲＡＣＨリソースセットには第１プリアンブルセット、第２プリアンブルセット、第１時間領域開始位置セット及び第２時間領域開始位置セットが含まれ、前記第２ＰＲＡＣＨリソースセットには第３プリアンブルセット、第４プリアンブルセット、前記第１時間領域開始位置セット及び前記第２時間領域開始位置セットが含まれ、
前記第１ＰＲＡＣＨリソースセットは、前記第１時間領域開始位置セットと前記第１プリアンブルセットによって共同で決定されたＰＲＡＣＨリソース、及び前記第２時間領域開始位置セットと前記第２プリアンブルセットによって共同で決定されたＰＲＡＣＨリソースを含み、及び／又は、
前記第２ＰＲＡＣＨリソースセットは、前記第１時間領域開始位置セットと前記第３プリアンブルセットによって共同で決定されたＰＲＡＣＨリソース、及び前記第２時間領域開始位置セットと前記第４プリアンブルセットによって共同で決定されたＰＲＡＣＨリソースを含み、
前記第１プリアンブルセットに含まれるプリアンブルの個数と前記第２プリアンブルセットに含まれるプリアンブルの個数は異なり、前記第３プリアンブルセットに含まれるプリアンブルの個数と前記第４プリアンブルセットに含まれるプリアンブルの個数は異なる請求項１５〜２４のいずれか１項に記載の方法。
【請求項２６】
前記第１プリアンブルセットに含まれるプリアンブルの個数と前記第３プリアンブルセットに含まれるプリアンブルの個数との和は、前記第２プリアンブルセットに含まれるプリアンブルの個数と前記第４プリアンブルセットに含まれるプリアンブルの個数との和に等しい請求項２５に記載の方法。
【請求項２７】
前記ネットワーク装置が、受信したＰＲＡＣＨに基づいて、第１類のランダムアクセス過程を実行すること又は第２類のランダムアクセス過程を実行することを決定することは、
前記ネットワーク装置は前記ＰＲＡＣＨの伝送に使用されるリソースが第１ＰＲＡＣＨリソースセットに属し、又は第２ＰＲＡＣＨリソースセットに属することを判断することと、
前記ＰＲＡＣＨの伝送に使用されるリソースが第１ＰＲＡＣＨリソースセットに属すると判断した場合、前記ネットワーク装置が第１類のランダムアクセス過程を実行することと、
前記ＰＲＡＣＨの伝送に使用されるリソースが第２ＰＲＡＣＨリソースセットに属すると判断した場合、前記ネットワーク装置が第２類のランダムアクセス過程を実行することと、を含む請求項１５〜２６のいずれか１項に記載の方法。
【請求項２８】
端末装置であって、第１処理ユニットと第１送信ユニットを備え、
前記第１処理ユニットは、第１物理ランダムアクセスチャネル（ＰＲＡＣＨ）リソースセットと第２ＰＲＡＣＨリソースセットを決定するように設定され、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられ、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なり、
前記第１送信ユニットは、前記第１ＰＲＡＣＨリソースセット又は前記第２ＰＲＡＣＨリソースセットからターゲットＰＲＡＣＨリソースを決定するように設定され、前記ターゲットＰＲＡＣＨリソースはランダムアクセス過程でのＰＲＡＣＨ送信に用いられる端末装置。
【請求項２９】
前記第１類のランダムアクセス過程でのＰＲＡＣＨにより伝送される情報はプリアンブルを含み、前記第２類のランダムアクセス過程でのＰＲＡＣＨにより伝送される情報はプリアンブル及びアップリンク情報を含む請求項２８に記載の端末装置。
【請求項３０】
前記第１ＰＲＡＣＨリソースセットに含まれるＰＲＡＣＨリソースと前記第２ＰＲＡＣＨリソースセットに含まれるＰＲＡＣＨリソースとは、少なくとも１つが異なることは、
前記第１ＰＲＡＣＨリソースの時間領域開始位置と前記第２ＰＲＡＣＨリソースの時間領域開始位置とは、少なくとも１つが異なること、
前記第１ＰＲＡＣＨリソースの周波数領域開始位置と前記第２ＰＲＡＣＨリソースの周波数領域開始位置とは、少なくとも１つが異なること、
前記第１ＰＲＡＣＨリソースセットに含まれるプリアンブルと前記第２ＰＲＡＣＨリソースセットに含まれるプリアンブルとは、少なくとも１つが異なること、のうちの少なくとも１つを含む請求項２８又は２９に記載の端末装置。
【請求項３１】
前記第１処理ユニットは、第１ＰＲＡＣＨ設定パラメータに基づいて前記第１ＰＲＡＣＨリソースセットを決定し、第２ＰＲＡＣＨ設定パラメータに基づいて前記第２ＰＲＡＣＨリソースセットを決定するように設定される請求項２８〜３０のいずれか１項に記載の端末装置。
【請求項３２】
前記第１ＰＲＡＣＨリソースの繰り返し周期長さと前記第２ＰＲＡＣＨリソースの繰り返し周期長さは同じであり、
１つの周期内において、前記第１ＰＲＡＣＨリソースの個数は前記第２ＰＲＡＣＨリソースの個数未満である請求項２８〜３１のいずれか１項に記載の端末装置。
【請求項３３】
前記第１ＰＲＡＣＨリソースは第１繰り返し周期長さに対応し、前記第２ＰＲＡＣＨリソースは第２繰り返し周期長さに対応し、前記第２繰り返し周期長さは前記第１繰り返し周期長さ未満である請求項２８〜３１のいずれか１項に記載の端末装置。
【請求項３４】
前記第１ＰＲＡＣＨリソースの周波数領域開始位置と前記第２ＰＲＡＣＨリソースの周波数領域開始位置は異なる請求項２８〜３３のいずれか１項に記載の端末装置。
【請求項３５】
前記第１ＰＲＡＣＨリソースセットに含まれるプリアンブルと前記第２ＰＲＡＣＨリソースセットに含まれるプリアンブルは異なる請求項２８〜３４のいずれか１項に記載の端末装置。
【請求項３６】
前記第２ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第２関連関係を有する請求項２８〜３５のいずれか１項に記載の端末装置。
【請求項３７】
前記第１ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第１関連関係を有する請求項２８〜３６のいずれか１項に記載の端末装置。
【請求項３８】
前記第１ＰＲＡＣＨリソースセットには第１プリアンブルセット、第２プリアンブルセット、第１時間領域開始位置セット及び第２時間領域開始位置セットが含まれ、前記第２ＰＲＡＣＨリソースセットには第３プリアンブルセット、第４プリアンブルセット、前記第１時間領域開始位置セット及び前記第２時間領域開始位置セットが含まれ、
前記第１ＰＲＡＣＨリソースセットは、前記第１時間領域開始位置セットと前記第１プリアンブルセットによって共同で決定されたＰＲＡＣＨリソース、及び前記第２時間領域開始位置セットと前記第２プリアンブルセットによって共同で決定されたＰＲＡＣＨリソースを含み、及び／又は、
前記第２ＰＲＡＣＨリソースセットは、前記第１時間領域開始位置セットと前記第３プリアンブルセットによって共同で決定されたＰＲＡＣＨリソース、及び前記第２時間領域開始位置セットと前記第４プリアンブルセットによって共同で決定されたＰＲＡＣＨリソースを含み、
前記第１プリアンブルセットに含まれるプリアンブルの個数と前記第２プリアンブルセットに含まれるプリアンブルの個数は異なり、前記第３プリアンブルセットに含まれるプリアンブルの個数と前記第４プリアンブルセットに含まれるプリアンブルの個数は異なる請求項２８〜３７のいずれか１項に記載の端末装置。
【請求項３９】
前記第１プリアンブルセットに含まれるプリアンブルの個数と前記第３プリアンブルセットに含まれるプリアンブルの個数との和は、前記第２プリアンブルセットに含まれるプリアンブルの個数と前記第４プリアンブルセットに含まれるプリアンブルの個数との和に等しい請求項３８に記載の端末装置。
【請求項４０】
前記第１送信ユニットは、ランダムアクセス過程をトリガーするイベントの優先度に基づいて、前記第１ＰＲＡＣＨリソースセット又は前記第２ＰＲＡＣＨリソースセットから前記ターゲットＰＲＡＣＨリソースを決定することに用いられる請求項２８〜３９のいずれか１項に記載の端末装置。
【請求項４１】
前記第１送信ユニットは、
ランダムアクセス過程をトリガーするイベントの優先度が低い場合、前記第１ＰＲＡＣＨリソースセットから前記ターゲットＰＲＡＣＨリソースを決定することと、
ランダムアクセス過程をトリガーするイベントの優先度が高い場合、前記第２ＰＲＡＣＨリソースセットから前記ターゲットＰＲＡＣＨリソースを決定することと、に用いられる請求項４０に記載の端末装置。
【請求項４２】
ネットワーク装置であって、第２処理ユニットと第２送信ユニットを備え、
前記第２処理ユニットは、第１物理ランダムアクセスチャネル（ＰＲＡＣＨ）リソースセットと第２ＰＲＡＣＨリソースセットを決定するように設定され、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられ、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なり、
前記第２送信ユニットは、受信したターゲットＰＲＡＣＨリソースが属するＰＲＡＣＨリソースセットに基づいて、第１類のランダムアクセス過程を実行すること又は第２類のランダムアクセス過程を実行することを決定するように設定されるネットワーク装置。
【請求項４３】
前記第２処理ユニットは、ＰＲＡＣＨ設定パラメータに基づいて第１物理ランダムアクセスチャネル（ＰＲＡＣＨ）リソースセットと第２ＰＲＡＣＨリソースセットを決定するように設定され、
前記ＰＲＡＣＨ設定パラメータは、ＰＲＡＣＨ設定インデックス、ＰＲＡＣＨ周波数領域機会の個数及びシーケンス生成パラメータのうちの少なくとも１つを含む請求項４２に記載のネットワーク装置。
【請求項４４】
前記第１ＰＲＡＣＨリソースと前記第２ＰＲＡＣＨリソースとは、少なくとも１つが異なることは、
前記第１ＰＲＡＣＨリソースの時間領域開始位置と前記第２ＰＲＡＣＨリソースの時間領域開始位置とは、少なくとも１つが異なること、
前記第１ＰＲＡＣＨリソースの周波数領域開始位置と前記第２ＰＲＡＣＨリソースの周波数領域開始位置とは、少なくとも１つが異なること、
前記第１ＰＲＡＣＨリソースセットに含まれるプリアンブルと前記第２ＰＲＡＣＨリソースセットに含まれるプリアンブルとは、少なくとも１つが異なること、のうちの少なくとも１つを含む請求項４２又は４３に記載のネットワーク装置。
【請求項４５】
前記第２処理ユニットは、それぞれ第１ランダムアクセスパラメータと第２ランダムアクセスパラメータを設定し、前記第１ランダムアクセスパラメータに基づいて前記第１ＰＲＡＣＨリソースセットを決定し、前記第２ランダムアクセスパラメータに基づいて前記第２ＰＲＡＣＨリソースセットを決定するように設定され、
前記第１ＰＲＡＣＨリソースセットは第１時間領域リソース、第１周波数領域リソース及び第１シーケンスリソースを含み、
前記第２ＰＲＡＣＨリソースセットは第２時間領域リソース、第２周波数領域リソース及び第２シーケンスリソースを含む請求項４２〜４４のいずれか１項に記載のネットワーク装置。
【請求項４６】
前記第２処理ユニットは、第１ＰＲＡＣＨリソースセットに対応する第１ＰＲＡＣＨ設定インデックスと第２ＰＲＡＣＨリソースセットに対応する第２ＰＲＡＣＨ設定インデックスを設定することに用いられ、
前記第２ＰＲＡＣＨリソースに対応する第２繰り返し周期長さは、前記第１ＰＲＡＣＨリソースに対応する第１繰り返し周期長さ未満である請求項４５に記載のネットワーク装置。
【請求項４７】
前記第２処理ユニットは、第１ＰＲＡＣＨリソースセットに対応する第１ＰＲＡＣＨ設定インデックスと第２ＰＲＡＣＨリソースセットに対応する第２ＰＲＡＣＨ設定インデックスを設定するように設定され、
前記第２ＰＲＡＣＨリソースに対応する繰り返し周期長さは、前記第１ＰＲＡＣＨリソースに対応する繰り返し周期長さと同じであり、
１つの周期内において、前記第１ＰＲＡＣＨリソースの個数は前記第２ＰＲＡＣＨリソースの個数未満である請求項４５に記載のネットワーク装置。
【請求項４８】
前記第２処理ユニットは、第１ＰＲＡＣＨリソースセットに対応する第１ＰＲＡＣＨ周波数領域機会の個数と第２ＰＲＡＣＨリソースセットに対応する第２ＰＲＡＣＨ周波数領域機会の個数を設定することで、前記第１ＰＲＡＣＨリソースの周波数領域開始位置を前記第２ＰＲＡＣＨリソースの周波数領域開始位置と異ならせるように設定される請求項４５〜４７のいずれか１項に記載のネットワーク装置。
【請求項４９】
前記第２処理ユニットは、セルが使用可能なシーケンスリソースを第１プリアンブルセット及び第２プリアンブルセットとして設定するように設定され、いずれかの前記第１ＰＲＡＣＨリソースセットに含まれるプリアンブルといずれかの前記第２ＰＲＡＣＨリソースセットに含まれるプリアンブルは異なる請求項４５〜４８のいずれか１項に記載のネットワーク装置。
【請求項５０】
前記第２ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第２関連関係を有する請求項４２〜４９のいずれか１項に記載のネットワーク装置。
【請求項５１】
前記第１ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第１関連関係を有する請求項４２〜５０のいずれか１項に記載のネットワーク装置。
【請求項５２】
前記第１ＰＲＡＣＨリソースセットには第１プリアンブルセット、第２プリアンブルセット、第１時間領域開始位置セット及び第２時間領域開始位置セットが含まれ、前記第２ＰＲＡＣＨリソースセットには第３プリアンブルセット、第４プリアンブルセット、前記第１時間領域開始位置セット及び前記第２時間領域開始位置セットが含まれ、
前記第１ＰＲＡＣＨリソースセットは、前記第１時間領域開始位置セットと前記第１プリアンブルセットによって共同で決定されたＰＲＡＣＨリソース、及び前記第２時間領域開始位置セットと前記第２プリアンブルセットによって共同で決定されたＰＲＡＣＨリソースを含み、及び／又は、
前記第２ＰＲＡＣＨリソースセットは、前記第１時間領域開始位置セットと前記第３プリアンブルセットによって共同で決定されたＰＲＡＣＨリソース、及び前記第２時間領域開始位置セットと前記第４プリアンブルセットによって共同で決定されたＰＲＡＣＨリソースを含み、
前記第１プリアンブルセットに含まれるプリアンブルの個数と前記第２プリアンブルセットに含まれるプリアンブルの個数は異なり、前記第３プリアンブルセットに含まれるプリアンブルの個数と前記第４プリアンブルセットに含まれるプリアンブルの個数は異なる請求項４２〜５１のいずれか１項に記載のネットワーク装置。
【請求項５３】
前記第１プリアンブルセットに含まれるプリアンブルの個数と前記第３プリアンブルセットに含まれるプリアンブルの個数との和は、前記第２プリアンブルセットに含まれるプリアンブルの個数と前記第４プリアンブルセットに含まれるプリアンブルの個数との和に等しい請求項５２に記載のネットワーク装置。
【請求項５４】
前記第２送信ユニットは、前記ＰＲＡＣＨの伝送に使用されるリソースが第１ＰＲＡＣＨリソースセットに属し、又は第２ＰＲＡＣＨリソースセットに属することを判断し、前記ＰＲＡＣＨの伝送に使用されるリソースが第１ＰＲＡＣＨリソースセットに属すると判断した場合、前記ネットワーク装置が第１類のランダムアクセス過程を実行し、前記ＰＲＡＣＨの伝送に使用されるリソースが第２ＰＲＡＣＨリソースセットに属すると判断した場合、前記ネットワーク装置が第２類のランダムアクセス過程を実行するように設定される請求項４３〜５３のいずれか１項に記載のネットワーク装置。
【請求項５５】
端末装置であって、プロセッサとメモリを備え、当該メモリはコンピュータプログラムを記憶することに用いられ、前記プロセッサは前記メモリに記憶されるコンピュータプログラムを呼び出して実行し、請求項１〜１４のいずれか１項に記載のランダムアクセス方法を実行することに用いられる端末装置。
【請求項５６】
ネットワーク装置であって、プロセッサとメモリを備え、当該メモリはコンピュータプログラムを記憶することに用いられ、前記プロセッサは前記メモリに記憶されるコンピュータプログラムを呼び出して実行し、請求項１５〜２７のいずれか１項に記載のランダムアクセス方法を実行することに用いられるネットワーク装置。
【請求項５７】
チップであって、メモリからコンピュータプログラムを呼び出して実行して、前記チップが取り付けられる装置に請求項１〜１４のいずれか１項に記載のランダムアクセス方法を実行させることに用いられるプロセッサを備えるチップ。
【請求項５８】
チップであって、メモリからコンピュータプログラムを呼び出して実行して、前記チップが取り付けられる装置に請求項１５〜２７のいずれか１項に記載のランダムアクセス方法を実行させることに用いられるプロセッサを備えるチップ。
【請求項５９】
コンピュータに請求項１〜１４のいずれか１項に記載のランダムアクセス方法を実行させるコンピュータプログラムを記憶することに用いられるコンピュータ可読記憶媒体。
【請求項６０】
コンピュータに請求項１５〜２７のいずれか１項に記載のランダムアクセス方法を実行させるコンピュータプログラムを記憶することに用いられるコンピュータ可読記憶媒体。
【請求項６１】
コンピュータに請求項１〜１４のいずれか１項に記載のランダムアクセス方法を実行させるコンピュータプログラム命令を含むコンピュータプログラム製品。
【請求項６２】
コンピュータに請求項１５〜２７のいずれか１項に記載のランダムアクセス方法を実行させるコンピュータプログラム命令を含むコンピュータプログラム製品。
【請求項６３】
コンピュータに請求項１〜１４のいずれか１項に記載のランダムアクセス方法を実行させるコンピュータプログラム。
【請求項６４】
コンピュータに請求項１５〜２７のいずれか１項に記載のランダムアクセス方法を実行させるコンピュータプログラム。
【発明の詳細な説明】
【技術分野】
【０００１】
本願の実施例は無線通信の技術分野に関し、具体的に、ランダムアクセス方法、端末装置、ネットワーク装置及び記憶媒体に関する。
【背景技術】
【０００２】
第５世代（５Ｇ、５ｔｈ  Ｇｅｎｅｒａｔｉｏｎ）新無線（ＮＲ、Ｎｅｗ  Ｒａｄｉｏ）システムでは、ランダムアクセス（ＲＡＣＨ）過程はロングタームエボリューション（ＬＴＥ、Ｌｏｎｇ  Ｔｅｒｍ  Ｅｖｏｌｕｔｉｏｎ）システムのＲＡＣＨ過程と類似し、ＮＲシステムの低遅延シーンに適しない。従って、ＮＲシステムの低遅延に適するランダムアクセス方法を提供することは急務となっている。
【発明の概要】
【発明が解決しようとする課題】
【０００３】
本願の実施例はランダムアクセス方法、端末装置、ネットワーク装置及び記憶媒体を提供し、ＮＲシステムの低遅延シーンに対して、ランダムアクセスを迅速に実現することができる。
【課題を解決するための手段】
【０００４】
第１態様ではランダムアクセス方法を提供し、
端末装置が第１物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）リソースセットと第２ＰＲＡＣＨリソースセットを決定し、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられ、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なることと、
前記端末装置が前記第１ＰＲＡＣＨリソースセット又は前記第２ＰＲＡＣＨリソースセットからターゲットＰＲＡＣＨリソースを決定し、前記ターゲットＰＲＡＣＨリソースはランダムアクセス過程でのＰＲＡＣＨ送信に用いられることと、を含む。
【０００５】
第２態様ではランダムアクセス方法を提供し、
ネットワーク装置が第１ＰＲＡＣＨリソースセットと第２ＰＲＡＣＨリソースセットを決定し、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられ、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なることと、
前記ネットワーク装置は受信したターゲットＰＲＡＣＨリソースが属するＰＲＡＣＨリソースセットに基づいて、第１類のランダムアクセス過程を実行すること又は第２類のランダムアクセス過程を実行することを決定することと、を含む。
【０００６】
第３態様では上記第１態様又はその各実施形態の方法を実行するための端末装置を提供する。
【０００７】
具体的に、当該端末装置は上記第１態様又はその各実施形態の方法を実行するための機能モジュールを備える。
【０００８】
第４態様ではプロセッサとメモリを備えるネットワーク装置を提供する。当該メモリはコンピュータプログラムを記憶することに用いられ、当該プロセッサは当該メモリに記憶されるコンピュータプログラムを呼び出して実行し、上記第２態様又はその各実施形態の方法を実行することに用いられる。
【０００９】
第５態様では上記第１態様〜第２態様のいずれか１つ又はその各実施形態の方法を実現するためのチップを提供する。
【００１０】
具体的に、当該チップは、メモリからコンピュータプログラムを呼び出して実行して、当該チップが取り付けられる装置に上記第１態様〜第２態様のいずれか１つ又はその各実施形態の方法を実行させることに用いられるプロセッサを備える。
【００１１】
第６態様では、コンピュータに上記第１態様〜第２態様のいずれか１つ又はその各実施形態の方法を実行させるコンピュータプログラムを記憶するためのコンピュータ可読記憶媒体を提供する。
【００１２】
第７態様では、コンピュータに上記第１態様〜第２態様のいずれか１つ又はその各実施形態の方法を実行させるコンピュータプログラム命令を含むコンピュータプログラム製品を提供する。
【００１３】
第８態様ではコンピュータプログラムを提供し、コンピュータにおいて実行されると、コンピュータに上記第１態様〜第２態様のいずれか１つ又はその各実施形態の方法を実行させる。
【発明の効果】
【００１４】
本発明の実施例では、端末装置は第１類のランダムアクセス過程でのＰＲＡＣＨ送信に用いられる第１ＰＲＡＣＨリソースセット、及び第２類のランダムアクセス過程でのＰＲＡＣＨ送信に用いられる第２ＰＲＡＣＨリソースセットを決定し、前記第１ＰＲＡＣＨリソースセット又は前記第２ＰＲＡＣＨリソースセットから、ランダムアクセス過程でのＰＲＡＣＨ送信に用いられるターゲットＰＲＡＣＨリソースを決定する。それにより、ネットワーク装置はＰＲＡＣＨを受信した後、前記ＰＲＡＣＨを送信するターゲットＰＲＡＣＨリソースが第１ＰＲＡＣＨリソースセット又は第２ＰＲＡＣＨリソースセットに属することを判断することができる。このように、ネットワーク装置は、ターゲットＰＲＡＣＨリソースが第１ＰＲＡＣＨリソースセット又は第２ＰＲＡＣＨリソースセットに属することを判断したら、自体が第１ＰＲＡＣＨリソースセットに対応する第１類のランダムアクセス過程を実行すること、又は第２ＰＲＡＣＨリソースセットに対応する第２類のランダムアクセス過程を実行することを決定することができる。ＮＲシステムの低遅延シーンに対して、ランダムアクセスを迅速に実現することができる。
【図面の簡単な説明】
【００１５】
【図１】図１は関連技術におけるＮＲシステムのランダムアクセス方法の処理フローチャートである。
【図２】図２は本願の実施例に係る改善されたランダムアクセス方法の処理フローチャートである。
【図３】図３は本願の実施例に係る通信システムアーキテクチャの模式図である。
【図４】図４は本願の実施例に係る端末装置に適用されるランダムアクセス方法の模式図である。
【図５】図５は本願の実施例の第１繰り返し周期及び第２繰り返し周期の模式図である。
【図６】図６は本願の実施例の第１シーケンスグループ及び第２シーケンスグループの模式図である。
【図７】図７は本願の実施例に係るネットワーク装置に適用されるランダムアクセス方法の模式図である。
【図８】図８は本願の実施例に係る端末装置の構造模式図である。
【図９】図９は本願の実施例に係るネットワーク装置の構造模式図である。
【図１０】図１０は本願の実施例に係る通信装置の模式的なブロック図である。
【図１１】図１１は本願の実施例に係るチップの模式的なブロック図である。
【図１２】図１２は本願の実施例に係る通信システムの模式的なブロック図である。
【発明を実施するための形態】
【００１６】
以下、本願の実施例の図面を参照しながら、本願の実施例の技術案を説明する。勿論、説明される実施例は本願の一部の実施例に過ぎず、全部の実施例ではない。本願の実施例に基づいて、当業者が創造的な労働を必要とせずに取得するすべての他の実施例は、いずれも本願の保護範囲に属する。
【００１７】
本発明の実施例を詳細に説明する前に、先ず、関連技術におけるランダムアクセス（ＲＡＣＨ、Ｒａｎｄｏｍ  Ａｃｃｅｓｓ  Ｃｈａｎｎｅｌ）過程を紹介する。図１に示すように、ＲＡＣＨ過程の処理フローは以下のステップＳ１０１〜Ｓ１０４を含む。
【００１８】
ステップＳ１０１、端末装置はメッセージ１（ＭＳＧ１、ｍｅｓｓａｇｅ  １）を介してネットワーク装置にランダムアクセスＰｒｅａｍｂｌｅを送信する。
【００１９】
ステップＳ１０２、ネットワーク装置は端末装置から送信されたＰｒｅａｍｂｌｅを検出した後、ＭＳＧ２を介して端末装置にランダムアクセス応答（ＲＡＲ、Ｒａｎｄｏｍ  Ａｃｃｅｓｓ  Ｒｅｓｐｏｎｓｅ）メッセージを送信し、ＭＳＧ３の送信時に使用可能なアップリンクリソース情報を端末装置に知らせ、端末装置に一時的な無線ネットワーク一時識別子（ＲＮＴＩ、Ｒａｄｉｏ  Ｎｅｔｗｏｒｋ  Ｔｅｍｐｏｒｙ  Ｉｄｅｎｔｉｔｙ）を割り当て、端末装置にｔｉｍｅ  ａｄｖａｎｃｅ  ｃｏｍｍａｎｄ等を提供する。
【００２０】
ステップＳ１０３、端末装置はＲＡＲメッセージを受信した後、ＲＡＲメッセージが指定したアップリンクリソースにおいてＭＳＧ３を送信し、ＭＳＧ３には端末装置の特定の１つの一時識別子情報が含まれる。
【００２１】
ステップＳ１０４、ネットワーク装置は競合解決メッセージが含まれるＭＳＧ４を端末装置に送信するとともに、端末装置にアップリンク伝送リソースを割り当てる。
【００２２】
端末装置はネットワーク装置から送信されたＭＳＧ４を受信すると、端末装置のＭＳＧ３で送信した端末装置の特定の一時識別子が、基地局から送信された競合解決メッセージに含まれているか否かを検出し、含まれている場合は、端末装置のランダムアクセス過程が成功したことを示し、そうでない場合は、ランダムアクセス過程が失敗したことを示し、端末装置は第１ステップからランダムアクセス過程を再び開始する必要がある。
【００２３】
上記ＲＡＣＨ過程の遂行にはネットワーク装置と端末装置の間の４回の情報交換を行う必要があるため、ＲＡＣＨ過程の遅延が長くなる。ＲＡＣＨ過程の遅延が長いという問題に鑑みて、改善されたＲＡＣＨ方法を提案し、図２に示すように、以下のステップＳ２０１〜Ｓ２０２を含む。
【００２４】
ステップＳ２０１、端末装置はネットワーク装置にｐｒｅａｍｂｌｅとアップリンク情報を送信する。
【００２５】
前記アップリンク情報は、物理アップリンク共有チャネル（ＰＵＳＣＨ、Ｐｈｙｓｉｃａｌ  Ｕｐｌｉｎｋ  Ｓｈａｒｅｄ  Ｃｈａｎｎｅｌ）又は他のアップリンクチャネル又は他のアップリンク参照信号を介して送信されてもよい。
【００２６】
ステップＳ２０２、ネットワーク装置は端末装置にランダムアクセス応答と競争解決策（Ｒａｎｄｏｍ  Ａｃｃｅｓｓ  Ｒｅｓｐｏｎｓｅ  ｗｉｔｈ  ｃｏｎｔｅｎｔｉｏｎ  ｒｅｓｏｌｕｔｉｏｎ）を送信する。
【００２７】
上記改善されたＲＡＣＨ方法、及びＮＲシステムにおいてネットワーク装置と端末装置が４回の情報交換によって実現するＲＡＣＨ方法が同時に存在する状況に対して、端末装置が上記ステップＳ１０１又は上記ステップＳ２０１を実行することを決定した後、上記ステップＳ１０１又は上記ステップＳ２０１を実行するのに必要なリソースを決定できるようにするために、如何にランダムアクセスパラメータ設定を行うかは、現在効果的な解決方法がない。
【００２８】
上記問題に鑑みて、本発明の実施例はランダムアクセス方法を提供し、本願の実施例の技術案は、例えば、グローバル移動通信（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサル移動通信システム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、ワールドワイド・インターオペラビリティ・フォー・マイクロウェーブ・アクセス（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇ  ＮＲシステム等の様々な通信システムに適用できる。
【００２９】
例示的に、本願の実施例に適用される通信システム１００は図３に示される。当該通信システム１００はネットワーク装置１１０を備えてもよく、ネットワーク装置１１０は端末装置１２０（又は通信端末、端末と呼ばれる）と通信する装置であってもよい。ネットワーク装置１１０は特定の地理的領域に通信カバレッジを提供でき、且つ当該カバレッジ領域内に位置する端末装置と通信できる。選択肢として、当該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線コントローラであってもよい。又は当該ネットワーク装置は移動通信交換局、中継局、アクセスポイント、車載装置、ウェアラブル装置、ハブ、交換機、ブリッジ、ルータ、５Ｇネットワークにおけるネットワーク側装置又は将来の進化型公衆陸上移動体ネットワーク（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００３０】
当該通信システム１００は更にネットワーク装置１１０のカバレッジ範囲内に位置する少なくとも１つの端末装置１２０を備える。ここで使用される「端末装置」は、有線回線を介して接続され、例えば、公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブル接続、及び／又は他のデータ接続／ネットワークを介して接続された装置、及び／又は無線インタフェース、例えば、セルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）、ＤＶＢ−Ｈネットワーク等のデジタルテレビネットワーク、衛星ネットワーク、ＡＭ−ＦＭ放送送信機を介して接続された装置、及び／又は他の端末装置の、通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらには限らない。無線インタフェースを介して通信するように設定される端末装置は「無線通信端末」、「無線端末」又は「移動端末」と称されてもよい。移動端末の例は衛星又はセルラー方式の電話、セルラー無線電話とデータ処理、ファックス、及びデータ通信能力を組み合わせることのできる個人通信システム（ＰＣＳ、Ｐｅｒｓｏｎａｌ  Ｃｏｍｍｕｎｉｃａｔｉｏｎｓ  Ｓｙｓｔｅｍ）端末、無線電話、ポケットベル、インターネット／イントラネットアクセス、Ｗｅｂブラウザ、メモ帳、カレンダー及び／又は全地球測位システム（ＧＰＳ、Ｇｌｏｂａｌ  Ｐｏｓｉｔｉｏｎｉｎｇ  Ｓｙｓｔｅｍ）受信機を備えることのできるＰＤＡ、及び通常のラップトップタイプ及び／又はパームトップタイプの受信機、又は無線電話送受信機を備える他の電子装置を含むが、それらには限らない。端末装置とはアクセス端末、ユーザ装置（ＵＥ、Ｕｓｅｒ  Ｅｑｕｉｐｍｅｎｔ）、加入者ユニット、加入者局、移動局、トラバーサー、遠隔局、遠隔端末、モバイルデバイス、ユーザ端末、端末、無線通信装置、ユーザエージェント、又はユーザデバイスを指してもよい。アクセス端末はセルラー方式の電話、コードレス電話、セッション開始プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を備えるハンドヘルド装置、計算装置又は無線モデムに接続される他の処理装置、車載装置、ウェアラブル装置、５Ｇネットワークにおける端末装置又は将来進化するＰＬＭＮにおける端末装置等であってもよい。
【００３１】
選択肢として、端末装置１２０の間は端末ダイレクト（Ｄ２Ｄ、Ｄｅｖｉｃｅ  ｔｏ  Ｄｅｖｉｃｅ）通信を行うことができる。
【００３２】
選択肢として、５Ｇシステム又は５Ｇネットワークは新無線（ＮＲ、Ｎｅｗ  Ｒａｄｉｏ）システム又はＮＲネットワークとも呼ばれる。
【００３３】
図３は１つのネットワーク装置及び２つの端末装置を例示する。選択肢として、当該通信システム１００は複数のネットワーク装置を備えてもよく、各ネットワーク装置のカバレッジ範囲内には他の数の端末装置が含まれてもよく、本願の実施例はこれを限定しない。
【００３４】
選択肢として、当該通信システム１００はネットワークコントローラ、モビリティ管理エンティティ等の他のネットワークエンティティを備えてもよく、本願の実施例はこれを限定しない。
【００３５】
理解されるように、本願の実施例では、ネットワーク／システムにおける通信機能を有する装置は通信装置と呼ばれてもよい。図３に示される通信システム１００を例として、通信装置は通信機能を有するネットワーク装置１１０及び端末装置１２０を含んでもよく、ネットワーク装置１１０及び端末装置１２０は上記の具体的な装置であってもよく、ここで繰り返して説明しない。通信装置は通信システム１００における他の装置、例えばネットワークコントローラ、モビリティ管理エンティティ等の他のネットワークエンティティを更に含んでもよく、本願の実施例はこれを限定しない。
【００３６】
理解されるように、本明細書の用語「システム」及び「ネットワーク」は本明細書においてしばしば交換可能に使用される。本明細書の用語「及び／又は」は、関連対象の関連関係を説明するためのものに過ぎず、３つの関係が存在していることを示す。例えば、Ａ及び／又はＢは、Ａが単独で存在すること、ＡとＢが同時に存在すること、Ｂが単独で存在することの３つの状況を示す。また、本明細書の文字「／」は一般的に前後の関連対象が「又は」の関係であることを示す。
【００３７】
本発明の実施例は端末装置に適用されるランダムアクセス方法の選択可能な処理フローを提供し、図４に示すように、以下のステップＳ３０１〜Ｓ３０２を含む。
【００３８】
ステップＳ３０１、端末装置は第１ＰＲＡＣＨリソースセットと第２ＰＲＡＣＨリソースセットを決定する。
【００３９】
ここで、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられる。前記第１類のランダムアクセス過程は本発明の実施例の図１に示されるランダムアクセス方法に対応する。前記第１類のランダムアクセス過程でのＰＲＡＣＨにより伝送される情報はプリアンブルを含む。前記第２類のランダムアクセス過程は本発明の実施例の図２に示されるランダムアクセス方法に対応する。前記第２類のランダムアクセス過程でのＰＲＡＣＨにより伝送される情報はプリアンブル及びアップリンク情報を含む。
【００４０】
理解されるように、本願の実施例では、プリアンブルはプリアンブルシーケンスとも呼ばれ、プリアンブルリソースはプリアンブルシーケンスリソース又はシーケンスリソースとも呼ばれる。
【００４１】
選択肢として、本願の実施例では、アップリンク情報は端末装置を区別するための情報、例えば、端末装置識別子、ＲＮＴＩ等を含んでもよい。選択肢として、アップリンク情報にＲＮＴＩが含まれる場合、当該ＲＮＴＩは端末装置がネットワーク装置によって予め設定された、２ステップのＲＡＣＨ伝送に用いられるＲＮＴＩセットから選択したものであってもよい。
【００４２】
選択肢として、アップリンク情報は端末装置を区別するための情報、及び物理ランダムアクセスチャネル（ＰＲＡＣＨ、Ｐｈｙｓｉｃａｌ  Ｒａｎｄｏｍ  Ａｃｃｅｓｓ  Ｃｈａｎｎｅｌ）の送信をトリガーするイベントが属するカテゴリを含んでもよい。ＰＲＡＣＨの送信をトリガーするイベントは、
端末装置が初期アクセスを行う必要があること、又は
無線リンク失敗後、端末装置がＲＲＣ接続を再確立する必要があること、又は
端末装置がＲＲＣ接続状態にあり、サービングセルからターゲットセルにハンドオーバする必要があること、又は
端末装置がＲＲＣ接続状態にあるが、アップリンク同期が実現せず、このとき、端末装置がアップリンクデータを送信し又はダウンリンクデータを受信すること、又は
端末装置がＲＲＣ非アクティブ状態からＲＲＣ接続状態に切り替えること、又は
端末装置がＲＲＣ接続状態にあり、このとき、測位過程を実行必要があるが、端末装置がＴＡを有さないこと、又は
端末装置が開放型システム間相互接続参照モデル（ＯＳＩ、Ｏｐｅｎ  Ｓｙｓｔｅｍ  Ｉｎｔｅｒｃｏｎｎｅｃｔｉｏｎ）を要求すること、又は
端末装置がビーム（Ｂｅａｍ）失敗の回復を行う必要があることを含んでもよい。
【００４３】
このとき、選択肢として、端末装置は複数のビットを使用して、ＰＲＡＣＨの送信をトリガーするイベントが属するカテゴリを示すことができる。例えば、３つのビットを使用して、ＰＲＡＣＨの送信をトリガーするイベントが属するカテゴリを示すことができ、即ち、「０００」は端末装置が初期アクセスを行う必要があることを示し、「００１」は端末装置がＲＲＣ接続を再確立する必要があることを示し、「０１０」は端末装置がセルハンドオーバを行う必要があることを示し、…、「１１１」は端末装置がＢｅａｍ失敗の回復を行う必要があることを示す。
【００４４】
選択肢として、アップリンク情報は端末装置を区別するための情報、ＰＲＡＣＨの送信をトリガーするイベントが属するカテゴリ、及びこのイベントを完了するために伝送する必要がある情報を含んでもよい。
【００４５】
例示的に、端末装置の初期アクセスについては、３つのビット「０００」を使用して、端末装置が初期アクセスを行う必要があることを示すことができる。また、他のビットを使用して、初期アクセスを完了するために伝送する必要がある情報、例えばＲＲＣ層によるＲＲＣ接続要求を示すこともできる。
【００４６】
例示的に、接続再確立については、３つのビット「００１」を使用して、端末装置がＲＲＣ接続を再確立する必要があることを示すことができる。また、他のビットを使用して、ＲＲＣ層によるＲＲＣ接続再確立要求を示すこともできる。
【００４７】
例示的に、端末装置のセルハンドオーバについては、３つのビット「０１０」を使用して、端末装置がセルハンドオーバを行う必要があることを示すことができる。また、他のビットを使用して、ＲＲＣ層によるＲＲＣハンドオーバ完了メッセージを示すこともできる。
【００４８】
更に、アップリンク情報はスケジューリング要求（ＳＲ、Ｓｃｈｅｄｕｌｉｎｇ  Ｒｅｑｕｅｓｔ）、バッファステータスレポート（ＢＳＲ、Ｂｕｆｆｅｒ  Ｓｔａｔｕｓ  Ｒｅｐｏｒｔ）、及びサービスデータを含んでもよいが、それらに限定されない。
【００４９】
本発明の実施例では、前記第１ＰＲＡＣＨリソースセットに含まれるいずれかの前記第１ＰＲＡＣＨリソースの周波数領域開始位置といずれかの前記第２ＰＲＡＣＨリソースセットに含まれる前記第２ＰＲＡＣＨリソースの周波数領域開始位置は異なる。及び／又は、いずれかの前記第１ＰＲＡＣＨリソースセットに含まれるプリアンブルといずれかの前記第２ＰＲＡＣＨリソースセットに含まれるプリアンブルは異なる。及び／又は、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なる。前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なることは、前記第１ＰＲＡＣＨリソースの時間領域開始位置と前記第２ＰＲＡＣＨリソースの時間領域開始位置とは、少なくとも１つが異なること、前記第１ＰＲＡＣＨリソースの周波数領域開始位置と前記第２ＰＲＡＣＨリソースの周波数領域開始位置とは、少なくとも１つが異なること、及び前記第１ＰＲＡＣＨリソースセットに含まれるプリアンブルと前記第２ＰＲＡＣＨリソースセットに含まれるプリアンブルとは、少なくとも１つが異なること、のうちの少なくとも１つを含む。
【００５０】
本発明の実施例では、端末装置が第１ＰＲＡＣＨリソースセットと第２ＰＲＡＣＨリソースセットを決定する１つの選択可能な実施形態については、端末装置はネットワーク装置によって設定された第１ＰＲＡＣＨ設定パラメータに基づいて前記第１ＰＲＡＣＨリソースセットを決定し、ネットワーク装置によって設定された第２ＰＲＡＣＨ設定パラメータに基づいて前記第２ＰＲＡＣＨリソースセットを決定する。選択肢として、第１ＰＲＡＣＨ設定パラメータと第２ＰＲＡＣＨ設定パラメータは独立して設定されたものである。
【００５１】
選択肢として、前記第１ＰＲＡＣＨ設定パラメータと前記第２ＰＲＡＣＨ設定パラメータはランダムアクセスパラメータであり、ＰＲＡＣＨ設定インデックス、ＰＲＡＣＨ周波数領域機会の個数、ＰＲＡＣＨ時間領域機会の開始位置、ＰＲＡＣＨ周波数領域機会の開始位置及びシーケンス生成パラメータのうちの少なくとも１つを含む。
【００５２】
前記ＰＲＡＣＨ設定インデックスはＰＲＡＣＨの時間領域リソース及び繰り返し周期を決定することに用いられ、前記ＰＲＡＣＨ周波数領域機会の個数はＰＲＡＣＨの周波数領域リソースを決定することに用いられ、前記シーケンス生成パラメータはＰＲＡＣＨのシーケンスリソースを決定することに用いられる。
【００５３】
限定ではなく例として、図５に示すように、前記第１ＰＲＡＣＨリソースは第１繰り返し周期長さに対応し、前記第２ＰＲＡＣＨリソースは第２繰り返し周期長さに対応する。第１繰り返し周期長さは１０個のｓｌｏｔであり、第２繰り返し周期長さは５つのｓｌｏｔであり、前記第２繰り返し周期長さは前記第１繰り返し周期長さ未満である。又は前記第１ＰＲＡＣＨリソースの繰り返し周期長さと前記第２ＰＲＡＣＨリソースの繰り返し周期長さは同じである。１つの周期内において、前記第１ＰＲＡＣＨリソースの個数は前記第２ＰＲＡＣＨリソースの個数未満である。例えば、再び図５に示すように、前記第１ＰＲＡＣＨリソースの繰り返し周期長さと前記第２ＰＲＡＣＨリソースの繰り返し周期長さは同じであり、且ついずれも１０個のｓｌｏｔであり、１つの周期、即ち１０個のｓｌｏｔ内において、前記第１ＰＲＡＣＨリソースの個数は１つであり、前記第２ＰＲＡＣＨリソースの個数の２つ未満である。
【００５４】
他のいくつかの実施例では、セルがサービスを提供するサービス優先度の高い端末装置の個数に基づいて、ＰＲＡＣＨ周波数領域機会の個数を２グループに分け、第１グループの周波数領域機会の個数は第１類のランダムアクセス過程に用いられ、第２グループの周波数領域機会の個数は第２類のランダムアクセス過程に用いられ、且ついずれかの第１ＰＲＡＣＨリソースの周波数領域開始位置といずれかの第２ＰＲＡＣＨリソースの周波数領域開始位置は異なる。例えば、スモールセルに対応するサービス又はゲーム等の応答時間が短いサービスは優先度の高いサービスに属し、ネットワーク装置（例えば、基地局）から遠く離れた郊外でサービスが提供される端末装置の接続サービスは優先度の低いサービスに属する。セルがサービスを提供するサービス優先度の高い端末装置の個数が多い場合、第２グループの周波数領域機会の個数を第１グループの周波数領域機会の個数より大きくすることができ、セルがサービスを提供するサービス優先度の低い端末装置の個数が多い場合、第１グループの周波数領域機会の個数を第２グループの周波数領域機会の個数より大きくすることができる。
【００５５】
更なる他のいくつかの実施例では、シーケンスリソースを２つのシーケンスリソースグループに分け、一方のシーケンスリソースグループは第１ＰＲＡＣＨリソースセットに属し、第１類のランダムアクセス過程に用いられ、他方のシーケンスリソースグループは第２ＰＲＡＣＨリソースセットに属し、第２類のランダムアクセス過程に用いられる。
【００５６】
更なる他のいくつかの実施例では、前記第２ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第２関連関係を有する。前記第１ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第１関連関係を有する。前記第１ＰＲＡＣＨリソースセットには第１プリアンブルセット、第２プリアンブルセット、第１時間領域開始位置セット及び第２時間領域開始位置セットが含まれ、前記第２ＰＲＡＣＨリソースセットには第３プリアンブルセット、第４プリアンブルセット、前記第１時間領域開始位置セット及び前記第２時間領域開始位置セットが含まれる。前記第１ＰＲＡＣＨリソースセットは、前記第１時間領域開始位置セットと前記第１プリアンブルセットによって共同で決定されたＰＲＡＣＨリソース、及び前記第２時間領域開始位置セットと前記第２プリアンブルセットによって共同で決定されたＰＲＡＣＨリソースを含み、及び／又は、前記第２ＰＲＡＣＨリソースセットは、前記第１時間領域開始位置セットと前記第３プリアンブルセットによって共同で決定されたＰＲＡＣＨリソース、及び前記第２時間領域開始位置セットと前記第４プリアンブルセットによって共同で決定されたＰＲＡＣＨリソースを含む。前記第１プリアンブルセットに含まれるプリアンブルの個数と前記第２プリアンブルセットに含まれるプリアンブルの個数は異なり、前記第３プリアンブルセットに含まれるプリアンブルの個数と前記第４プリアンブルセットに含まれるプリアンブルの個数は異なる。
【００５７】
いくつかの実施例では、前記ネットワーク装置はセルが使用可能なシーケンスリソースを第１シーケンスリソースグループ及び第２シーケンスリソースグループとして設定し、例えば、前記第１シーケンスリソースグループのシーケンス個数は前記第２シーケンスリソースグループのシーケンス個数以上である。前記第１シーケンスリソースグループは第１ＰＲＡＣＨ時間領域リソースにおける前記第１類のランダムアクセス過程に用いられるプリアンブルリソースであり、前記第２シーケンスリソースグループは前記第１ＰＲＡＣＨ時間領域リソースにおける前記第２類のランダムアクセス過程に用いられるプリアンブルリソースである。及び／又は、前記ネットワーク装置はセルが使用可能なシーケンスリソースを第３シーケンスリソースグループ及び第４シーケンスリソースグループとして設定し、例えば、前記第３シーケンスリソースグループのシーケンス個数は前記第４シーケンスリソースグループのシーケンス個数未満である。前記第３シーケンスリソースグループは第２ＰＲＡＣＨ時間領域リソースにおける前記第１類のランダムアクセス過程に用いられるプリアンブルリソースであり、前記第４シーケンスリソースグループは第２ＰＲＡＣＨ時間領域リソースにおける前記第２類のランダムアクセス過程に用いられるプリアンブルリソースである。前記第１ＰＲＡＣＨ時間領域リソース及び第２ＰＲＡＣＨ時間領域リソースは時間領域でのＰＲＡＣＨ伝送機会である。当該リソース割り当て方式によって、各ＰＲＡＣＨ時間領域伝送機会は第１類のランダムアクセス過程及び第２類のランダムアクセス過程に用いられる使用可能なＰＲＡＣＨリソースを有し、それにより第１類のランダムアクセス過程及び第２類のランダムアクセス過程の遅延を最大限に低減することができる。また、同一のＰＲＡＣＨ時間領域伝送機会での第１類のランダムアクセス過程及び第２類のランダムアクセス過程に対応するプリアンブルリソースの個数を調整することによって、異なるサービス優先度によってトリガーされるランダムアクセス過程で必要なＰＲＡＣＨリソースの指標を満たすこともできる。
【００５８】
限定ではなく例として、図６を例として、第１類のランダムアクセス過程及び第２類のランダムアクセス過程に使用可能なセルのシーケンスの個数は４０であり、対応する番号は０〜３９であり、第１シーケンスリソースグループは番号０〜１９に対応するシーケンスを含み、第２シーケンスリソースグループは番号２０〜３９に対応するシーケンスを含み、第３シーケンスリソースグループは番号０〜９に対応するシーケンスを含み、第４シーケンスリソースグループは番号１０〜３９に対応するシーケンスを含む。番号０〜１９に対応するシーケンスは第１ＰＲＡＣＨ時間領域リソースにおける前記第１類のランダムアクセス過程に用いられるプリアンブルリソースであり、番号２０〜３９に対応するシーケンスは前記第１ＰＲＡＣＨ時間領域リソースにおける前記第２類のランダムアクセス過程に用いられるプリアンブルリソースであり、番号０〜９に対応するシーケンスは第２ＰＲＡＣＨ時間領域リソースにおける前記第１類のランダムアクセス過程に用いられるプリアンブルリソースであり、番号１０〜３９に対応するシーケンスは第２ＰＲＡＣＨ時間領域リソースにおける前記第２類のランダムアクセス過程に用いられるプリアンブルリソースである。
【００５９】
ステップＳ３０２、端末装置は前記第１ＰＲＡＣＨリソースセット又は前記第２ＰＲＡＣＨリソースセットからターゲットＰＲＡＣＨリソースを決定する。
【００６０】
ここで、前記ターゲットＰＲＡＣＨリソースはランダムアクセス過程でのＰＲＡＣＨ送信に用いられる。
【００６１】
いくつかの実施例では、端末装置はランダムアクセス過程をトリガーするイベントの優先度に基づいて、前記第１ＰＲＡＣＨリソースセット又は前記第２ＰＲＡＣＨリソースセットから前記ターゲットＰＲＡＣＨリソースを決定する。例えば、ランダムアクセス過程をトリガーするイベントの優先度が低い場合、前記端末装置は前記第１ＰＲＡＣＨリソースセットから前記ターゲットＰＲＡＣＨリソースを決定し、ランダムアクセス過程をトリガーするイベントの優先度が高い場合、前記端末装置は前記第２ＰＲＡＣＨリソースセットから前記ターゲットＰＲＡＣＨリソースを決定する。
【００６２】
本発明の実施例はネットワーク装置に適用されるランダムアクセス方法の選択可能な処理フローを提供し、図７に示すように、以下のステップＳ４０１〜Ｓ４０２を含む。
【００６３】
ステップＳ４０１、ネットワーク装置は第１ＰＲＡＣＨリソースセットと第２ＰＲＡＣＨリソースセットを決定する。
【００６４】
本発明の実施例では、第１ＰＲＡＣＨリソースセット、第２ＰＲＡＣＨリソースセット、第１類のランダムアクセス過程、第２類のランダムアクセス過程の説明については、上記ステップＳ３０１の第１ＰＲＡＣＨリソースセット及び第２ＰＲＡＣＨリソースセットの説明を参照する。本発明の実施例では、ネットワーク装置が第１ＰＲＡＣＨリソースセットと第２ＰＲＡＣＨリソースセットを決定する処理過程は、上記端末装置が第１ＰＲＡＣＨリソースセットと第２ＰＲＡＣＨリソースセットを決定する処理過程と類似し、単に実行主体が異なり、ここで繰り返して説明しない。
【００６５】
ステップＳ４０２、ネットワーク装置は受信したターゲットＰＲＡＣＨリソースが属するＰＲＡＣＨリソースセットに基づいて、第１類のランダムアクセス過程を実行すること又は第２類のランダムアクセス過程を実行することを決定する。
【００６６】
本発明の実施例では、ネットワーク装置は前記ＰＲＡＣＨの伝送に使用されるリソースが第１ＰＲＡＣＨリソースセットに属し又は第２ＰＲＡＣＨリソースセットに属することを判断する。前記ＰＲＡＣＨの伝送に使用されるリソースが第１ＰＲＡＣＨリソースセットに属すると判断した場合、前記ネットワーク装置は第１類のランダムアクセス過程を実行し、前記ＰＲＡＣＨの伝送に使用されるリソースが第２ＰＲＡＣＨリソースセットに属すると判断した場合、前記ネットワーク装置は第２類のランダムアクセス過程を実行する。
【００６７】
選択肢として、前記ネットワーク装置が第１類のランダムアクセス過程を実行することは、前記ネットワーク装置が端末装置に前記プリアンブルのランダムアクセス応答を送信することを含む。前記ネットワーク装置が第２類のランダムアクセス過程を実行することは、前記ネットワーク装置が端末装置に前記プリアンブル及び前記アップリンク情報のランダムアクセス応答を送信することを含む。
【００６８】
選択肢として、前記ネットワーク装置が第２類のランダムアクセス過程を実行することは、前記ネットワーク装置が前記プリアンブルを検出したが、前記アップリンク情報を検出しない場合、前記ネットワーク装置が端末装置に前記プリアンブルのランダムアクセス応答を送信することを含む。
【００６９】
本発明の上記実施例に基づいて、第１類のランダムアクセス過程及び第２類のランダムアクセス過程がいずれも実現できる場合、ネットワーク装置は端末装置から送信されたＰｒｅａｍｂｌｅを受信した後、第１類のランダムアクセス過程に対応する操作を実行する必要があること、又は第２類のランダムアクセス過程に対応する操作を実行する必要があることを決定することができない。本発明の実施例では、ＰＲＡＣＨリソースセットを、第１類のランダムアクセス過程でのＰＲＡＣＨ送信に用いられる第１ＰＲＡＣＨリソースセット及び第２類のランダムアクセス過程でのＰＲＡＣＨ送信に用いられる第２ＰＲＡＣＨリソースセットに分けることで、ネットワーク装置はＰｒｅａｍｂｌｅを受信した後、Ｐｒｅａｍｂｌｅを伝送するＰＲＡＣＨリソースが第１ＰＲＡＣＨリソースセットに属し又は第２ＰＲＡＣＨリソースセットに属することを決定することができ、更に当該ランダムアクセス過程が第１類のランダムアクセス過程又は第２類のランダムアクセス過程であることを決定し、ネットワーク装置は決定したランダムアクセス過程の類型（第１類のランダムアクセス過程又は第２類のランダムアクセス過程）に基づいて対応の操作（上記実施例のステップＳ１０２又はステップＳ２０２）を実行して、迅速なランダムアクセスを実現することができる。
【００７０】
端末装置に適用される上記ランダムアクセス方法に基づいて、本発明の実施例は端末装置を更に提供し、図８に示すように、端末装置の構造は第１処理ユニット５０１と第１送信ユニット５０２を備え、
前記第１処理ユニット５０１は、第１ＰＲＡＣＨリソースセットと第２ＰＲＡＣＨリソースセットを決定するように設定され、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられ、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なり、
前記第１送信ユニット５０２は、前記第１ＰＲＡＣＨリソースセット又は前記第２ＰＲＡＣＨリソースセットからターゲットＰＲＡＣＨリソースを決定するように設定され、前記ターゲットＰＲＡＣＨリソースはランダムアクセス過程でのＰＲＡＣＨ送信に用いられる。
【００７１】
本発明の実施例では、前記第１類のランダムアクセス過程でのＰＲＡＣＨにより伝送される情報はプリアンブルを含み、前記第２類のランダムアクセス過程でのＰＲＡＣＨにより伝送される情報はプリアンブル及びアップリンク情報を含む。
【００７２】
本発明の実施例では、前記第１ＰＲＡＣＨリソースセットに含まれるＰＲＡＣＨリソースと前記第２ＰＲＡＣＨリソースセットに含まれるＰＲＡＣＨリソースとは、少なくとも１つが異なることは、
前記第１ＰＲＡＣＨリソースの時間領域開始位置と前記第２ＰＲＡＣＨリソースの時間領域開始位置とは、少なくとも１つが異なること、
前記第１ＰＲＡＣＨリソースの周波数領域開始位置と前記第２ＰＲＡＣＨリソースの周波数領域開始位置とは、少なくとも１つが異なること、
前記第１ＰＲＡＣＨリソースセットに含まれるプリアンブルと前記第２ＰＲＡＣＨリソースセットに含まれるプリアンブルとは、少なくとも１つが異なること、のうちの少なくとも１つを含む。
【００７３】
本発明の実施例では、前記第１処理ユニット５０１は、第１ＰＲＡＣＨ設定パラメータに基づいて前記第１ＰＲＡＣＨリソースセットを決定し、第２ＰＲＡＣＨ設定パラメータに基づいて前記第２ＰＲＡＣＨリソースセットを決定するように設定される。
【００７４】
本発明の実施例では、前記第１ＰＲＡＣＨリソースの繰り返し周期長さと前記第２ＰＲＡＣＨリソースの繰り返し周期長さは同じであり、１つの周期内において、前記第１ＰＲＡＣＨリソースの個数は前記第２ＰＲＡＣＨリソースの個数未満である。又は前記第１ＰＲＡＣＨリソースは第１繰り返し周期長さに対応し、前記第２ＰＲＡＣＨリソースは第２繰り返し周期長さに対応し、前記第２繰り返し周期長さは前記第１繰り返し周期長さ未満である。
【００７５】
本発明の実施例では、前記第１ＰＲＡＣＨリソースの周波数領域開始位置と前記第２ＰＲＡＣＨリソースの周波数領域開始位置は異なる。
【００７６】
本発明の実施例では、前記第１ＰＲＡＣＨリソースセットに含まれるプリアンブルと前記第２ＰＲＡＣＨリソースセットに含まれるプリアンブルは異なる。
【００７７】
本発明の実施例では、前記第２ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第２関連関係を有する。前記第１ＰＲＡＣＨリソースセットには少なくとも２つのプリアンブルセットと少なくとも２つのＰＲＡＣＨリソースの時間領域開始位置セットが含まれ、前記少なくとも２つのプリアンブルセットと前記少なくとも２つのＰＲＡＣＨリソースの時間領域開始位置セットは第１関連関係を有する。
【００７８】
本発明の実施例では、前記第１ＰＲＡＣＨリソースセットには第１プリアンブルセット、第２プリアンブルセット、第１時間領域開始位置セット及び第２時間領域開始位置セットが含まれ、前記第２ＰＲＡＣＨリソースセットには第３プリアンブルセット、第４プリアンブルセット、前記第１時間領域開始位置セット及び前記第２時間領域開始位置セットが含まれ、
前記第１ＰＲＡＣＨリソースセットは、前記第１時間領域開始位置セットと前記第１プリアンブルセットによって共同で決定されたＰＲＡＣＨリソース、及び前記第２時間領域開始位置セットと前記第２プリアンブルセットによって共同で決定されたＰＲＡＣＨリソースを含み、及び／又は、前記第２ＰＲＡＣＨリソースセットは、前記第１時間領域開始位置セットと前記第３プリアンブルセットによって共同で決定されたＰＲＡＣＨリソース、及び前記第２時間領域開始位置セットと前記第４プリアンブルセットによって共同で決定されたＰＲＡＣＨリソースを含み、前記第１プリアンブルセットに含まれるプリアンブルの個数と前記第２プリアンブルセットに含まれるプリアンブルの個数は異なり、前記第３プリアンブルセットに含まれるプリアンブルの個数と前記第４プリアンブルセットに含まれるプリアンブルの個数は異なる。
【００７９】
本発明の実施例では、前記第１プリアンブルセットに含まれるプリアンブルの個数と前記第３プリアンブルセットに含まれるプリアンブルの個数との和は、前記第２プリアンブルセットに含まれるプリアンブルの個数と前記第４プリアンブルセットに含まれるプリアンブルの個数との和に等しい。
【００８０】
本発明の実施例では、前記第１送信ユニット５０２は、ランダムアクセス過程をトリガーするイベントの優先度に基づいて、前記第１ＰＲＡＣＨリソースセット又は前記第２ＰＲＡＣＨリソースセットから前記ターゲットＰＲＡＣＨリソースを決定するように設定される。
【００８１】
本発明の実施例では、前記第１送信ユニット５０２は、ランダムアクセス過程をトリガーするイベントの優先度が低い場合、前記第１ＰＲＡＣＨリソースセットから前記ターゲットＰＲＡＣＨリソースを決定し、ランダムアクセス過程をトリガーするイベントの優先度が高い場合、前記第２ＰＲＡＣＨリソースセットから前記ターゲットＰＲＡＣＨリソースを決定するように設定される。
【００８２】
ネットワーク装置に適用される上記ランダムアクセス方法に基づいて、本発明の実施例はネットワーク装置を提供し、図９に示すように、ネットワーク装置の構造は第２処理ユニット５０３と第２送信ユニット５０４を備え、
前記第２処理ユニット５０３は、第１ＰＲＡＣＨリソースセットと第２ＰＲＡＣＨリソースセットを決定するように設定され、前記第１ＰＲＡＣＨリソースセットは第１類のランダムアクセス過程でのＰＲＡＣＨ送信に用いられ、前記第２ＰＲＡＣＨリソースセットは第２類のランダムアクセス過程でのＰＲＡＣＨ送信に用いられ、前記第１ＰＲＡＣＨリソースセットに含まれる第１ＰＲＡＣＨリソースと前記第２ＰＲＡＣＨリソースセットに含まれる第２ＰＲＡＣＨリソースとは、少なくとも１つが異なり、
前記第２送信ユニット５０４は、受信したターゲットＰＲＡＣＨリソースが属するＰＲＡＣＨリソースセットに基づいて、第１類のランダムアクセス過程を実行すること又は第２類のランダムアクセス過程を実行することを決定するように設定される。
【００８３】
本発明の実施例では、第１ＰＲＡＣＨリソースセット、第２ＰＲＡＣＨリソースセット、第１類のランダムアクセス過程、第２類のランダムアクセス過程の説明については、図８に示される端末装置の第１ＰＲＡＣＨリソースセット、第２ＰＲＡＣＨリソースセット、第１類のランダムアクセス過程、第２類のランダムアクセス過程の説明、又は図７に示されるネットワーク装置に適用されるランダムアクセス方法の関連説明を参照することができる。
【００８４】
図１０は本願の実施例に係る通信装置６００の構造模式図である。図１０に示される通信装置６００は、メモリからコンピュータプログラムを呼び出して実行することで、本願の実施例の方法を実現することができるプロセッサ６１０を備える。
【００８５】
選択肢として、図１０に示すように、通信装置６００はメモリ６２０を備えてもよい。プロセッサ６１０はメモリ６２０からコンピュータプログラムを呼び出して実行することで、本願の実施例の方法を実現することができる。メモリ６２０はプロセッサ６１０から独立した個別のデバイスであってもよく、プロセッサ６１０に集積されたものであってもよい。
【００８６】
選択肢として、図１０に示すように、通信装置６００は送受信機６３０を更に備えてもよく、プロセッサ６１０は当該送受信機６３０と他の装置との通信を制御でき、具体的に、他の装置に情報又はデータを送信でき、又は他の装置から送信された情報又はデータを受信できる。送受信機６３０は送信機と受信機を備えてもよい。送受信機６３０は更にアンテナを備えてもよく、アンテナの数は１つ又は複数であってもよい。
【００８７】
選択肢として、当該通信装置６００は具体的に本願の実施例のネットワーク装置であってもよく、且つ当該通信装置６００は本願の実施例の各方法におけるネットワーク装置が実現した対応するフローを実現することができる。簡潔のために、ここで繰り返して説明しない。
【００８８】
選択肢として、当該通信装置６００は具体的に本願の実施例の移動端末／端末装置であってもよく、且つ当該通信装置６００は本願の実施例の各方法における移動端末／端末装置が実現した対応するフローを実現することができる。簡潔のために、ここで繰り返して説明しない。
【００８９】
図１１は本願の実施例に係るチップの構造模式図である。図１１に示されるチップ７００は、メモリからコンピュータプログラムを呼び出して実行することで、本願の実施例の方法を実現することができるプロセッサ７１０を備える。
【００９０】
選択肢として、図１１に示すように、チップ７００はメモリ７２０を備えてもよい。プロセッサ７１０はメモリ７２０からコンピュータプログラムを呼び出して実行することで、本願の実施例の方法を実現することができる。
【００９１】
メモリ７２０はプロセッサ７１０から独立した個別のデバイスであってもよく、プロセッサ７１０に集積されたものであってもよい。
【００９２】
選択肢として、当該チップ７００は入力インタフェース７３０を備えてもよい。プロセッサ７１０は当該入力インタフェース７３０と他の装置又はチップとの通信を制御でき、具体的に、他の装置又はチップから送信された情報又はデータを取得できる。
【００９３】
選択肢として、当該チップ７００は出力インタフェース７４０を備えてもよい。プロセッサ７１０は当該出力インタフェース７４０と他の装置又はチップとの通信を制御でき、具体的に、他の装置又はチップに情報又はデータを出力できる。
【００９４】
選択肢として、当該チップは本願の実施例のネットワーク装置に適用でき、且つ当該チップは本願の実施例の各方法におけるネットワーク装置が実現した対応するフローを実現することができる。簡潔のために、ここで繰り返して説明しない。
【００９５】
選択肢として、当該チップは本願の実施例の移動端末／端末装置に適用でき、且つ当該チップは本願の実施例の各方法における移動端末／端末装置が実現した対応するフローを実現することができる。簡潔のために、ここで繰り返して説明しない。
【００９６】
理解されるように、本願の実施例に係るチップはシステムレベルチップ、システムチップ、チップシステム又はシステムオンチップ等とも呼ばれる。
【００９７】
図１２は本願の実施例に係る通信システム９００の模式的なブロック図である。図１２に示すように、当該通信システム９００は端末装置９１０とネットワーク装置９２０を備える。
【００９８】
当該端末装置９１０は上記方法における端末装置が実現した対応する機能を実現することに用いることができ、当該ネットワーク装置９２０は上記方法におけるネットワーク装置が実現した対応する機能を実現することに用いることができる。簡潔のために、ここで繰り返して説明しない。
【００９９】
理解されるように、本願の実施例のプロセッサは集積回路チップであってもよく、信号の処理能力を有する。実現過程では、上記方法実施例の各ステップはプロセッサにおけるハードウェアの集積論理回路又はソフトウェア形態の命令によって遂行され得る。上記プロセッサは汎用プロセッサ、デジタル信号プロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、離散ゲート又はトランジスタロジックデバイス、個別ハードウェア部品であってもよい。本願の実施例に開示されている各方法、ステップ及びロジックブロック図を実現又は実行することができる。汎用プロセッサはマイクロプロセッサであってもよく、又は当該プロセッサはいずれかの通常のプロセッサ等であってもよい。本願の実施例に開示されている方法のステップはハードウェアデコードプロセッサによって直接実行されてもよく、又はデコードプロセッサ内のハードウェア及びソフトウェアモジュールの組み合わせによって実行されてもよい。ソフトウェアモジュールはランダムメモリ、フラッシュメモリ、読み出し専用メモリ、プログラマブル読み出し専用メモリ又は電気的消去可能プログラマブルメモリ、レジスタ等の本分野の成熟した記憶媒体に位置してもよい。当該記憶媒体はメモリに位置し、プロセッサはメモリにおける情報を読み取り、そのハードウェアと組み合わせて上記方法のステップを遂行する。
【０１００】
理解できるように、本願実施例において、メモリは揮発性メモリ又は不揮発性メモリであってもよく、又は、揮発性メモリと不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。例示的であって制限的ではない説明によれば、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。なお、本明細書に説明されるシステム及び方法のメモリはこれらのメモリ及び任意の他の適切なタイプのメモリを含むが、これらに限らないように意図されている。
【０１０１】
理解されるように、上記メモリの記載は例示的であって制限的なものではなく、例えば、本願実施例におけるメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願実施例におけるメモリはこれらのメモリ及び任意の他の適切なタイプのメモリを含むが、これらに限らないように意図されている。
【０１０２】
本願の実施例はコンピュータプログラムを記憶するためのコンピュータ可読記憶媒体を更に提供する。
【０１０３】
選択肢として、当該コンピュータ可読記憶媒体は本願の実施例のネットワーク装置に適用でき、且つ当該コンピュータプログラムは本願の実施例の各方法におけるネットワーク装置が実現した対応するフローをコンピュータに実行させる。簡潔のために、ここで繰り返して説明しない。
【０１０４】
選択肢として、当該コンピュータ可読記憶媒体は本願の実施例の端末装置に適用でき、且つ当該コンピュータプログラムは本願の実施例の各方法における端末装置が実現した対応するフローをコンピュータに実行させる。簡潔のために、ここで繰り返して説明しない。
【０１０５】
本願の実施例はコンピュータプログラム命令を含むコンピュータプログラム製品を更に提供する。
【０１０６】
選択肢として、当該コンピュータプログラム製品は本願の実施例のネットワーク装置に適用でき、且つ当該コンピュータプログラム命令は本願の実施例の各方法におけるネットワーク装置が実現した対応するフローをコンピュータに実行させる。簡潔のために、ここで繰り返して説明しない。
【０１０７】
選択肢として、当該コンピュータプログラム製品は本願の実施例の移動端末／端末装置に適用でき、且つ当該コンピュータプログラム命令は本願の実施例の各方法における端末装置が実現した対応するフローをコンピュータに実行させる。簡潔のために、ここで繰り返して説明しない。
【０１０８】
本願の実施例はコンピュータプログラムを更に提供する。
【０１０９】
選択肢として、当該コンピュータプログラムは本願の実施例のネットワーク装置に適用でき、当該コンピュータプログラムがコンピュータで実行されると、本願の実施例の各方法におけるネットワーク装置が実現した対応するフローをコンピュータに実行させる。簡潔のために、ここで繰り返して説明しない。
【０１１０】
選択肢として、当該コンピュータプログラムは本願の実施例の端末装置に適用でき、当該コンピュータプログラムがコンピュータで実行されると、本願の実施例の各方法における端末装置が実現した対応するフローをコンピュータに実行させる。簡潔のために、ここで繰り返して説明しない。
【０１１１】
当業者であれば理解できるように、本明細書に開示されている実施例で説明された各例示的ユニット及びアルゴリズムステップは、電子ハードウェア、又はコンピュータソフトウェアと電子ハードウェアとの組み合わせによって実現され得る。これらの機能がハードウェアそれともソフトウェア形態で実行されるかは、技術案の特定応用及び設計制約条件に決められる。当業者は各特定の応用に対して異なる方法で、説明された機能を実現することができるが、この実現は本願の範囲を超えると見なされるべきではない。
【０１１２】
当業者が明確に理解できるように、説明の便宜及び簡潔のために、上記説明されたシステム、装置及びユニットの具体的な作動過程については、前述方法実施例の対応する過程を参照することができ、ここで繰り返して説明しない。
【０１１３】
本願のいくつかの実施例では、開示されたシステム、装置及び方法は他の方式で実現できると理解される。例えば、上記説明された装置実施例は例示的なものに過ぎず、例えば、前記ユニットの分割はロジック機能の分割のみであり、実際の実現時に他の分割方式でもよく、例えば、複数のユニット又は部品を組み合わせてもよく、又は他のシステムに集積してもよく、又は一部の特徴を無視してもよく、又は実行しなくてもよい。また、表示又は検討される相互結合又は直接結合又は通信接続は、あるインタフェース、装置又はユニットを介した間接結合又は通信接続であってもよく、電気的、機械的又は他の形態のものであってもよい。
【０１１４】
前記別々の部材として説明されるユニットは物理的に分離されてもよく、物理的に分離されなくてもよく、ユニットとして示される部材は物理ユニットであってもよく、物理ユニットでなくてもよく、即ち、１つの場所に位置してもよく、又は複数のネットワークユニットに分布してもよい。実際の需要に応じてそのうちの一部又は全部のユニットを選択して本実施例の技術案の目的を実現することができる。
【０１１５】
また、本願の各実施例の各機能ユニットは１つの処理ユニットに集積されてもよく、各ユニットは単独で物理的に存在してもよく、２つ以上のユニットは１つのユニットに集積されてもよい。
【０１１６】
前記機能はソフトウェア機能ユニットの形態で実現され、独立した製品として販売又は使用される場合、コンピュータ可読記憶媒体に記憶され得る。このような理解に基づいて、本願の技術案、又は従来技術に寄与する部分、又は当該技術案の一部はソフトウェア製品の形態で実施することができ、当該コンピュータソフトウェア製品は１つの記憶媒体に記憶され、１台のコンピュータ装置（パーソナルコンピュータ、サーバ、又はネットワーク装置等であってもよい）に本願の各実施例に記載の方法の全部又は一部のステップを実行させるための複数の命令を含む。前述の記憶媒体はＵディスク、モバイルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等の、プログラムコードを記憶できる様々な媒体を含む。
【０１１７】
以上は本願の具体的な実施形態に過ぎず、本願の保護範囲を制限するためのものではない。当業者が本願に開示される技術的範囲内において容易に想到し得る変更や置換は、いずれも本願の保護範囲内に含まれるべきである。従って、本願の保護範囲は、特許請求の範囲に記載の保護範囲に準じるべきである。
【図１】
2021533605.tif 000003
【図２】
2021533605.tif 000004
【図３】
2021533605.tif 000005
【図４】
2021533605.tif 000006
【図５】
2021533605.tif 000007
【図６】
2021533605.tif 000008
【図７】
2021533605.tif 000009
【図８】
2021533605.tif 000010
【図９】
2021533605.tif 000011
【図１０】
2021533605.tif 000012
【図１１】
2021533605.tif 000013
【図１２】
2021533605.tif 000014
【国際調査報告】
2021533605.tif 000015
2021533605.tif 000016
2021533605.tif 000017
2021533605.tif 000018